(57)【要約】  少なくとも血小板、ヒアルロン酸、血清直接ビリルビン、プロトロンビン時間、血清グルタミン酸ピルビン酸トランスアミナーゼおよび血清グルタミン酸オキサロ酢酸トランスアミナーゼを含む血清生化学的変数および年齢を受信する入力装置（３１）と、この入力装置（３１）によって受信された年齢および血清生化学的変数とトランジェント・エラストグラフィ画像データに従って肝線維症の病期分類を行う分類器（３２）と、分類器の病期分類結果を出力する出力装置（３３）とを備える肝線維症検出装置およびシステム。このシステムは非侵襲的、高い実用性、簡単な方法、低コスト、および高安全性という利点を有する。【選択図】  図６
2014521053.tif 000002
【特許請求の範囲】
【請求項１】
年齢および血清生化学的変数を受信するために用いられる入力装置であって、前記血清生化学的変数は少なくとも血小板、ヒアルロン酸（ＨＡ）、血清直接ビリルビン（ＤＢＩＬ）、プロトロンビン時間（ＰＴ）、血清グルタミン酸ピルビン酸トランスアミナーゼ（ＡＬＴ、ＧＰＴ）および血清グルタミン酸オキサロ酢酸トランスアミナーゼ（ＡＳＴ、ＧＯＴ）を含む入力装置と、
前記入力装置によって受信された年齢および前記血清生化学的変数に応じて肝線維症の病期分類または炎症診断を行うために用いられる分類器と、
前記分類器による前記肝線維症の病期分類または炎症診断の結果を出力するために用いられる出力装置と、
を備えることを特徴とする、肝線維症の検出装置。
【請求項２】
前記血清生化学的変数は、さらに血清アルカリフォスファターゼ（ＡＬＰ、ＡＫＰ）、血清コリンエステラーゼ（ＣｈＥ）およびプロトロンビン活性（ＰＴＡ）、または、それらのいずれか１つまたは２つを含むことを特徴とする、請求項１に記載の装置。
【請求項３】
前記血清生化学的変数は、さらにトランスフォーミング増殖因子β１（ＴＧＦ−β１）およびα2−マクログロブリン（ＡＭＧ）を含むことを特徴とする、請求項１に記載の装置。
【請求項４】
前記分類器は、さらに肝組織のトランジェント・エラストグラフィ画像データを受け取るために用いられ、前記年齢、前記血清生化学的変数および前記トランジェント・エラストグラフィ画像データに応じて肝線維症の病期分類または炎症診断を行うことを特徴とする、請求項１から３のいずれかに記載の装置。
【請求項５】
前記分類器は、サポートベクトルマシン分類器、意思決定モデルに基づく分類器、サポートベクトル回帰モデル分類器、ロジステック回帰モデル分類器、
アダブーストアンサンブル分類器およびＰＣＡ+Ｋ近傍法モデル分類器を含むことを特徴とする、請求項４に記載の装置。 
【請求項６】
前記分類器は、少なくとも２つの異なる分類器を備え、前記少なくとも２つの異なる分類器の結果に従って投票することで肝線維症の病期分類を得ることを特徴とする、請求項５に記載の装置。
【請求項７】
前記サポートベクトルマシン分類器は、線形サポートベクトルマシン分類器、またはカーネル法に基づく非線形分類器であることを特徴とする、請求項５に記載の装置。
【請求項８】
訓練サンプルデータを受信して前記訓練サンプルデータに基づいて前記分類器のパラメータを決定するために用いられるパラメータトレーナーを備えており、前記訓練サンプルデータは、少なくとも前記年齢、前記血清生化学的変数および対応する肝線維症病期分類を含むことを特徴とする、請求項１から３のいずれかに記載の装置。
【請求項９】
訓練サンプルデータを受信して前記訓練サンプルデータに基づいて前記分類器のパラメータを決定するために用いられるパラメータトレーナーを備えており、前記訓練サンプルデータは、少なくとも前記年齢、血清生化学的変数、トランジェント・エラストグラフィ画像データおよび対応する肝線維症病期分類を含むことを特徴とする、請求項４に記載の装置。
【請求項１０】
前記装置は、携帯用装置、オンライン診断システム、または独立型計算装置の形で実現されることを特徴とする、請求項４に記載の装置。
【請求項１１】
請求項１から１０のいずれかに記載の肝線維症の検出装置およびトランジェント・エラストグラフィ画像装置を含む肝線維症検出システムであって、
前記トランジェント・エラストグラフィ画像装置は、肝組織のトランジェント・エラストグラフィ画像データを得るために用いられ、前記分類器は、前記トランジェント・エラストグラフィ画像装置から前記トランジェント・エラストグラフィ画像データを受け取り、前記年齢、前記血清生化学的変数および前記肝組織の前記トランジェント・エラストグラフィ画像データに応じて肝線維症の病期分類を行うように構成されていることを特徴とする、肝線維症検出システム。
【請求項１２】
血清生化学的変数検出装置を備え、前記血清生化学的変数検出装置は、前記入力装置に接続されており、前記入力装置を介して前記血清生化学的変数を前記分類器に送信することを特徴とする、請求項１１に記載のシステム。
【発明の詳細な説明】
【技術分野】
【０００１】
本発明は、肝線維症の調査技術の技術分野に関し、特に、肝線維症の検出装置および検出システムに関する。
【背景技術】
【０００２】
現在のところ、肝線維症および肝硬変の臨床診断は、およそ以下のカテゴリーを含む。
（１）ゴールドスタンダードである肝生検、すなわち、肝生検後の病理スライド検査による肝線維症の病期分類（staging）。一般的に使用される方法では、Ｂ型肝炎を含み例えば５病期（５ステージ）、つまり、Ｓ０、Ｓ１、Ｓ２、Ｓ３およびＳ４であり（中国のＢ型肝炎病理評価基準）、およびＣ型肝炎を含み例えば５ステージ、つまり、Ｆ０、Ｆ１、Ｆ２、Ｆ３およびＦ４である（メタヴィアスコア（Metavir score））。この方法は侵襲的な診断方法である。
（２）血清診断：現在のところ、血清学的変数をシミュレートする診断モデルが１０以上ある。これらのモデルは、異なる血清学的生化学的変数の組み合わせに従って（統計的回帰法のような）数学的計算によって数式を得る。
（３）超音波検査画像や磁気共鳴（ＭＲ）画像、および他の画像方法のような画像検出。
（４）超音波弾性画像装置：例えばフィブロスキャン（FibroScan（ＦＳ））は、肝臓の硬度を測定し、異なる値の範囲によって異なるステージを示す。この方法は画像検出の範囲に含まれうる。
（５）加えて、プロテオミクスマッピングのような遺伝子検査が出現しつつある。
【０００３】
しかしながら、ゴールドスタンダードである肝生検は侵襲的な診断方法である。それは患者が回復するのに長時間かかり、安全性の問題を有しており、サンプルの偏差による影響を受ける。現存する血清生化学的マーカーモデルは、低い精度および感度または高いコストというような理由のために、臨床診断への幅広い普及や使用がない。画像方法は機器に限定されている。フィブロスキャンにより測定された硬度は、肝線維症の検出のみならず対応する肝機能、および、ある程度の病変にも関連している。フィブロスキャンは普及しており適用されているが、その制約のため、ある患者群には検出のために使用することができない。
【０００４】
この分野の技術者は、実状に照らして高精度であり、使用が容易で非侵襲である肝線維症の診断方法を提供しようと常に努力している。
【発明の開示】
【０００５】
本発明の目的は、検出精度、感度および選択性の改善された肝線維症の検出装置および検出システムを提供することである。
【０００６】
本発明の別の目的は、年齢および血清生化学的変数を受信するために用いられる入力装置と、前記入力装置によって受信された年齢や血清生化学的変数に応じた肝線維症の病期分類または炎症診断を遂行するために用いられる分類器と、前記分類器による前記肝線維症の病期分類または炎症診断の結果を出力する出力装置を備える肝線維症の検出装置を提供することであり、ここで、血清生化学的変数は少なくとも血小板、ヒアルロン酸（ＨＡ）、血清直接ビリルビン（ＤＢＩＬ）、プロトロンビン時間（ＰＴ）、血清グルタミン酸ピルビン酸トランスアミナーゼ（ＡＬＴ、ＧＰＴ）および血清グルタミン酸オキサロ酢酸トランスアミナーゼ（ＡＳＴ、ＧＯＴ）を含む。
【０００７】
好ましくは、前記血清生化学的変数は、さらに血清アルカリフォスファターゼ（ＡＬＰ、ＡＫＰ）、血清コリンエステラーゼ（ＣｈＥ）およびプロトロンビン活性（ＰＴＡ）、または、それらのいずれか１つまたは２つを含む。
【０００８】
好ましくは、前記血清生化学的変数は、また、トランスフォーミング増殖因子β１（ＴＧＦ−β１）およびα2−マクログロブリン（ＡＭＧ）を含む。
【０００９】
好ましくは、分類器はまた、前記年齢、前記血清生化学的変数、および肝組織のトランジェント・エラストグラフィ（transient elastography）画像データに従った肝線維症の病期分類のための、前記肝組織のトランジェント・エラストグラフィ画像データを受信するために用いられる。
【００１０】
好ましくは、前記分類器は、サポートベクトルマシン分類器、意思決定モデルに基づく分類器、サポートベクトル回帰モデル分類器、ロジステック回帰モデル分類器、アダブーストアンサンブル分類器およびＰＣＡ+ＫＮＮモデル分類器を含む。
【００１１】
好ましくは、前記分類器は、少なくとも２つの異なる分類器を備え、上記の少なくとも２つの異なる分類器の結果に従った投票（voting）によって肝線維症の病期分類を得る。
【００１２】
好ましくは、前記サポートベクトルマシン分類器は、線形サポートベクトルマシン分類器、またはカーネル法に基づく非線形分類器である。
【００１３】
好ましくは、前記分類器は訓練サンプルデータを受信して前記訓練サンプルデータに基づいて前記分類器のパラメータを決定するために用いられるパラメータトレーナーを備えており、前記訓練サンプルデータは、少なくとも前記年齢、前記血清生化学的変数および対応する肝線維症病期分類を含む。訓練サンプルデータは、また、トランジェント・エラストグラフィ画像データを含んでもよい。
【００１４】
好ましくは、前記装置は、携帯用装置または据置型デバイス、オンライン診断システムまたは独立型計算装置の形で実現される。
【００１５】
好ましくは、前記装置はまた、血清生化学的変数検出装置および／またはトランジェント・エラストグラフィ（transient elastography）画像装置を統合する。
【００１６】
本発明の別の目的は、上記の肝線維症検出装置とトランジェント・エラストグラフィ画像装置を含む肝線維症検出システムを提供することであり、ここで、前記トランジェント・エラストグラフィ画像装置は、肝組織のトランジェント（transient）弾性画像データを得るために用いられ、前記分類器は、前記トランジェント・エラストグラフィ画像装置から肝組織のトランジェント・エラストグラフィ画像データを受信し、前記年齢、前記血清生化学的変数および肝組織の前記トランジェント・エラストグラフィ画像データに応じて肝線維症の病期分類を行う。
【００１７】
好ましくは、前記システムはさらに血清生化学的変数検出装置を備える。
【００１８】
本発明における肝線維症検出装置および検出システムは、年齢および選択された血清生化学的変数の観点から肝線維症の病期分類を行い、種々の検出結果の十分な活用ができるので肝線維症の病期分類結果はより正確である。
【００１９】
さらに、本発明における肝線維症検出装置および検出システムは、年齢、選択された血清生化学的変数および肝組織のトランジェント・エラストグラフィ画像データの観点から肝線維症の病期分類を行い、種々の検出結果の十分な活用ができるので肝線維症の病期分類結果はより正確である。
【００２０】
添付図面を参照した本発明の典型的な実施形態の引き続く詳細な説明により、本発明の他の特徴や利点がより明確になるであろう。
【図面の簡単な説明】
【００２１】
説明の一部を構成する図面は、本発明の実施形態を説明するために用いられており、その説明とともに本発明の原理を解説するためにも用いられている。
【００２２】
図面および引き続く詳細な説明を参照することにより、本発明を明瞭に理解することができるであろう。
【００２３】
【図１】本発明による第１の実施形態である肝線維症検出装置の構成図である。
【図２】本発明による第２の実施形態である肝線維症検出装置の構成図である。
【図３】本発明による第３の実施形態である肝線維症検出システムの構成図である。
【図４】トランジェント・エラストグラフィ画像装置およびそのプローブの1実施形態の概略図である。
【図５】本発明による第４の実施形態である肝線維症検出システムの構成図である。
【図６】本発明による第５の実施形態である肝線維症検出装置の構成図である。
【図７】サポートベクトルマシン分類超平面の最大マージンの1例の概略図である。
【図８】非線形サポートベクトルマシンのアルゴリズムの１例の概略図である。
【発明を実施するための形態】
【００２４】
これから、本発明の種々の典型的な実施形態を図面を参照して詳細に説明する。特別の定めのない限り、本発明の範囲は、関連する構成図（layout）、数値表現および構成要素の値やそれらの実施形態で表現されたステップには限定されないことを留意されたい。
【００２５】
同時に説明を容易にするために、添付図面に示されたそれぞれの部分の大きさは実際の比例関係に合致するように描かれてはいないことを、我々は理解しなければならない。
【００２６】
少なくとも一つの典型的な実施形態の引き続く説明は、実際に単に説明のためのものであり、本発明およびその応用またはその使用をいかなる環境下でも限定することを意図してはいない。
【００２７】
関連分野の一般的な知識を有する技術者に知られた技術、方法および装置は、詳細には論じないが、正式には、一般に認められた論述の一部であるとみなされなければならない。
【００２８】
ここで指摘され考察されたすべての例は、いかなる特別な値をも制限しようとするものではなく、説明のためだけとして解釈されなければならない。結果として実施形態の別の例は異なる値を持ってもよい。
【００２９】
類似の番号や文字は下記の添付図面において類似のアイテムを示すことに留意されたい。結果的に、図面において一度アイテムが定義されれば、引き続く添付図面においてはさらなる考察は必要ない。
【００３０】
この明細書においては、ベクトルは患者によって提供される種々の変数のセットである。モデルｆはマッピング関数（mapping function）であり、χ→{0,1, 2,...., n}であり、ｎは、例えば、３、４または他の整数であってもよい。すなわち、もし患者の指標ベクトルｘが与えられれば、この患者の肝線維症の病理学的病期分類がf(x)であるとモデルが予測する。ここで、それらの値（f(x)）は、セット{0,1, 2,...., n}の中の個別の値の一つである。特性変数および階層化モデルは、この技術の重要なコンテンツである。本発明に用いられる変数および階層化モデルは以下に示される。
【００３１】
図１に本発明による第１の実施形態である肝線維症検出装置の構成図を示す。図１に示すように、本実施形態における肝線維症検出装置は、入力装置１１、分類器１２、出力装置１３を備える。入力装置１１は、年齢と血清生化学的変数を受信するために用いられる。また、その血清生化学的変数には、少なくとも血小板、ヒアルロン酸（ＨＡ）、血清直接ビリルビン（ＤＢＩＬ）、プロトロンビン時間（ＰＴ）、血清グルタミン酸ピルビン酸トランスアミナーゼ（ＡＬＴ、ＧＰＴ）および血清グルタミン酸オキサロ酢酸トランスアミナーゼ（ＡＳＴ、ＧＯＴ）が含まれる。分類器１２は、入力装置１１によって受信された年齢および血清生化学的変数に応じて肝線維症病期分類を行い、その肝線維症病期分類結果を出力装置１３へ送信する。３つの受信された変数、すなわち、血小板、血清グルタミン酸ピルビン酸トランスアミナーゼ（ＡＬＴ、ＧＰＴ）および血清グルタミン酸オキサロ酢酸トランスアミナーゼ（ＡＳＴ、ＧＯＴ）に従って、エキスパートによって導かれた２つの比である、血清グルタミン酸ピルビン酸トランスアミナーゼ（ＡＬＴ、ＧＰＴ）／血小板、および、血清グルタミン酸オキサロ酢酸トランスアミナーゼ（ＡＳＴ、ＧＯＴ）／血清グルタミン酸ピルビン酸トランスアミナーゼ（ＡＬＴ、ＧＰＴ）を、分類器１２が得る。これら（２つの比）は、分類器の入力パラメータとしての血清グルタミン酸オキサロ酢酸トランスアミナーゼ（ＡＳＴ、ＧＯＴ）および血清グルタミン酸ピルビン酸トランスアミナーゼ（ＡＬＴ、ＧＰＴ）を代替して用いられる。出力装置１３は、分類器１２の肝線維症病期分類結果を出力する。分類器１２は、サポートベクトルマシン分類器、意思決定モデルに基づく分類器、サポートベクトル回帰モデル分類器、ロジステック回帰モデル分類器、アダブーストアンサンブル分類器およびＰＣＡ（主成分分析（principal component analysis）+ＫＮＮ（ｋ近傍法(K nearest neighbor)）モデル分類器であってもよい。分類器１２は、計算装置を用いてソフトウエアによって実現してもよく、または、特別なハードウエア、回路もしくは装置によって実現してもよい。
【００３２】
上記の実施形態において、分類器は、年齢と選択された血清生化学的変数によって、従来技術の検出方法よりもより正確な肝線維症検出効果を得るために用いることができる。例えば、血小板、ヒアルロン酸（ＨＡ）、血清直接ビリルビン（ＤＢＩＬ）、プロトロンビン時間（ＰＴ）、血清グルタミン酸ピルビン酸トランスアミナーゼ（ＡＬＴ、ＧＰＴ）および血清グルタミン酸オキサロ酢酸トランスアミナーゼ（ＡＳＴ、ＧＯＴ）などの血清生化学的変数の検出は一般に大変普及しているので、一般の病院でも行うことができる。従って、検出のトータルコストおよび困難さを低減するために、このスキームの応用や普及を拡大することができる。加えて、異なる分類器が実際の必要によって選択されてもよく、これにより、現実に分類器の精度を上げることができる。
【００３３】
本発明における肝線維症検出装置は、臨床要求によって複数の形態により実現してもよい。本発明の１実施形態によれば、入力装置、分類器および出力装置は、コンピュータに配置されている。また、入力装置はコンピュータキーボード、タッチスクリーン、マウスおよび装置インタフェースなどの入力機器に対応しており、出力装置は表示画面、音声出力装置および出力インタフェースなどの出力機器に対応しており、分類器はソフトウエアによって、または、主基板に接続された特別な分類器回路によって、実現することができる。この検出装置は、コンピュータによって得ることができ、コンピュータの高い普及率という特徴を十分に活用してその実装コストを低減することができる。本発明の別の実施形態によれば、入力装置、分類器および出力装置は、同一の可搬型携帯装置に配置されており、これは、通常のハンドヘルドコンピュータ、または、肝線維症の診断のための特別な装置であってもよい。検出装置が携帯装置の形で実現されていることにより、装置の使用に対する簡便性および柔軟性が改善される。本発明の１実施形態によれば、肝線維症検出装置は、また、オンライン診断システムの形態によって得ることもできる。オンライン診断システムの具体例を図２を参照して以下に説明する。
【００３４】
本発明の１実施形態によれば、血清生化学的変数は、さらに血清アルカリフォスファターゼ（ＡＬＰ、ＡＫＰ）、血清コリンエステラーゼ（ＣｈＥ）およびプロトロンビン活性（ＰＴＡ）、または、上記３つの変数のうちのいずれか１つまたは２つを含む。
【００３５】
本発明の１実施形態によれば、血清生化学的変数は、またトランスフォーミング増殖因子β１（ＴＧＦ−β１）およびα2−マクログロブリン（ＡＭＧ）を含み、分類器は、入力装置が受信した年齢および血清生化学的変数に従った肝線維症の病期分類のために用いられる。
【００３６】
上記の実施形態において、分類器は年齢および選択された血清生化学的変数によって従来技術の検出方法に比べてより正確な肝線維症検出効果を得ることができる。
【００３７】
図２に本発明による第２の実施形態である肝線維症検出装置の構成図を示す。図２に示すように、入力装置２１はコンピュータ、タブレットＰＣ、またはＰＤＡなどであってもよい。入力装置としての機器は分類器２２に有線接続または無線接続などによって接続されてもよい。分類器２２は、サーバ、コンピュータまたは特別な機器であってもよい。分類器２２によって出力された肝線維症病期分類結果は、出力装置２３によって出力されてもよく、または、入力装置２１によってユーザへ出力されてもよい。検出装置は、バックグラウンドにおける分類器だけによってオンライン診断システムの形で実現することができ、それ（検出装置）は、より多くの診断セクターによって検出支援を達成すると共に単位検出コストを低減するために、複数の入力端末および出力端末を含んでもよい。
【００３８】
本発明の１実施形態によれば、分類器の入力データは、上記の実施形態に述べられた年齢および血清生化学的変数のみならず、肝組織のトランジェント（transient）肝臓弾性画像データ、すなわち、トランジェント・エラストグラフィ画像装置によって得られた肝組織の硬度を含んでもよい。
【００３９】
図３に本発明による第３の実施形態である肝線維症検出システムの構成図を示す。図３に示すように、本実施形態における肝線維症検出システムは、入力装置３１、分類器３２、出力装置３３およびトランジェント・エラストグラフィ画像装置３４を備える。入力装置３１および出力装置３３に関しては、前述の実施形態の説明を参照されたい。これらは、説明の簡略化のためにここでは詳細に説明しない。トランジェント・エラストグラフィ画像装置３４は、肝組織のトランジェント・エラストグラフィ画像データを得るために使用することができる。分類器３２は、トランジェント・エラストグラフィ画像装置３４からトランジェント・エラストグラフィ画像データを受信し、年齢、血清生化学的変数および肝組織のトランジェント・エラストグラフィ画像データに基づいて肝線維症の病期分類を行う。トランジェント・エラストグラフィ画像装置３４、例えばフィブロスキャンは、肝組織のフィブロスキャン硬度を得るために用いることができる。
【００４０】
上記の実施形態において、システムは年齢、選択された血清生化学的変数および肝組織のトランジェント・エラストグラフィ画像データの観点から肝線維症の病期分類を行い、種々の検出結果を十分に活用しているので、肝線維症の病期分類結果は、より正確である。
【００４１】
本発明の１実施形態によれば、システムは、さらに、キットに入っているサンプルを検出して血清生化学的変数のデータを得て、これらのデータを入力装置を介して分類器に送信するために用いられる血清生化学的変数検出装置を備える。
【００４２】
図４にトランジェント・エラストグラフィ画像装置およびそのプローブの1実施形態の概略図を示す。図４に示すように、トランジェント・エラストグラフィ画像装置４４は超音波プローブ４５との接続に用いられるプローブソケット４４１を備え、さらにデータ伝送のため、コンピュータまたはネットワークに接続するために用いられるデータ伝送インタフェース４４２を備える。超音波プローブ４５は、超音波変換器４４３、スイッチボタン４４４、電気力学的変換器（electrodynamics transducer）４４５、接続ケーブル４４６およびジャック４４７を備える。
【００４３】
訓練（training）分類パラメータのデータサンプルが少なければ、単一のモデルに基づくのみでは不適切な近似（over-fitting）問題が容易に生じやすい。たとえ存在するサンプルで好ましい精度が得られても、それが、良好な一般化能力を有しないかもしれないし、未知のサンプルを正しく予測することは難しい。
【００４４】
この問題を解決するために、複数の独立した分類器を訓練し、複数の分類器の結果による投票によって最終の分類結果を得る、バギング法（Bagging method）が用いられてもよい。この方法によって、単一のモデルのみによる予測の非ロバスト性（非頑健性）をある程度まで解決することができる。従来のバギング法と比べて完全に異なるのは、このバギング法は交差検証（cross-validation）と同様な方法、即ち、サンプルを各時間にランダムにｎ分割し、それらのｎ−１の部分（パラメータは、同時にグリッド検索によって決定される）を訓練事例とし、残された部分に対応して予測する。このため、予測結果に応じてモデルは隠される。このようなランダムな分割を複数回繰り返すことにより、あるモデルが毎回ランダムな分割により選択される。最終的に、全ての得られたモデルが組み合わされ、投票によって最終的な分類結果として決定される。
【００４５】
図５に本発明による第４の実施形態である肝線維症検出システムの構成図を示す。図５に示すように、本実施形態における肝線維症検出システムは、入力装置３１、分類器５２、出力装置３３およびトランジェント・エラストグラフィ画像装置３４を備える。入力装置３１、出力装置３３およびトランジェント・エラストグラフィ画像装置３４は、上記の実施形態の説明に見いだせるので、簡単化のためにここでは詳細には示さない。分類器５２は、投票器（voting machine）５２３および第１のサブ分類器５２１、第２のサブ分類器５２２のような、２またはそれ以上のサブ分類器を備える。５２１、５２２などの各サブ分類器は、年齢、血清生化学的変数、および肝組織のトランジェント・エラストグラフィ画像データに従った、それぞれの（各サブ分類器の）肝線維症病期分類結果を得て、それぞれの肝線維症病期分類結果を投票器５２３に出力する。投票器５２３は、例えば、各サブ分類器からの投票の形である肝線維症病期分類結果に従って肝線維症病期分類結果の出力を決定する。
【００４６】
図６に本発明による第５の実施形態である肝線維症検出装置の構成図を示す。図６に示すように、本実施形態における肝線維症検出装置は、入力装置３１、分類器３２、出力装置３３、トランジェント・エラストグラフィ画像装置３４、およびパラメータトレーナー６５を備える。パラメータトレーナー６５は、訓練サンプルデータを受信し、訓練サンプルデータに応じて分類器パラメータを決定する。ここで、訓練サンプルデータは、年齢、血清生化学的変数、および対応する肝線維症病期分類を含んでもよい。または、訓練サンプルデータは、年齢、血清生化学的変数、トランジェント・エラストグラフィ画像データ、および対応する肝線維症病期分類を含んでもよい。現存するサンプルに従って肝線維症分類モデルを訓練によって得ることができる。サンプルが絶え間なく供給されるであろうことを考慮して、モデルの自己学習戦略が策定される。上記のモデルの学習戦略は、自動化訓練プロセスに完全にコンパイルされ、入力インタフェースはサンプルセットであり、出力インタフェースは、最終的に用いられた予測関数である。従って、一度サンプルセットが更新されれば、そのプログラムの自動化訓練関数を適用することのみが必要であり、これにより、モデルの自動学習プロセスを遂行することができる。その一方で、予期しない状況下でモデルの復元作業に取り組めるように、古いモデルは、またバックアップされ、それに基づいて保存される。
【００４７】
分類モデルは、サポートベクトルマシンの具体例の観点から以下のように導かれる。この分類モデルの訓練戦略は下記に詳細に示される。なお、関連する固有ベクトルがあれば、どのようなものでもベクトルｘとして一律に表現する。
【００４８】
１．モデルの「分解―組み合わせ」戦略
＜分解（Breakdown）＞
最初の問題は、サンプルの硬度（stiffness value）を予測することである。この問題を直接的に解くことはより複雑である。第一に、分類問題は、４つのサブ問題に分解される。
【００４９】
【数１】
2014521053.tif 000003
【００５０】
例えば、サブ問題１は、与えられたサンプルの硬度が１より大きいか１に等しいか、または１より小さいか、を判定することを意味する。これは、また残されたサブ問題にも適用できる。
【００５１】
各サブ問題（２値分類問題）は、サポートベクトルマシン（ＳＶＭ）分類モデルを用いて訓練される。最終的に、合計で４つのサブモデルであるfi(x),i=1,2,3,4が調べられる。fi(x)の出力は０または１である。
【００５２】
サポートベクトルマシンの詳細な説明については、次のセクションを参照されたい。
【００５３】
＜組み合わせ＞
上記の４つのサブ問題モデルを仕上げた後で、それらのサブ問題を最終の意思決定ルールの中で組み合わせることができる。４つのサブモデルによって予測される結果は、シーケンス(f1, f2, f3, f4)であり、このシーケンス中の全ての要素は０または１であり、このため、そのシーケンスには、合計で１６の可能な値がある。決定は、表１に示されたそれぞれの値とルールに対応する最終予測結果に従ってなされる。
【００５４】
2014521053.tif 000004
【００５５】
２．サポートベクトルマシン（ＳＶＭ）分類モデル
上記のように、各モデルは、４つのサブモデルに分けられており、各サブモデルは、２値分類問題である。サポートベクトルマシンは、本発明においては、基礎的な分類器のように用いられる。
【００５６】
サポートベクトルマシンは、優れた分類モデルであり、分類マージン最大化原理に従ってサンプル空間にサンプルを分類し、より低い訓練エラー率を得ることを前提にしてより良い一般化能力（generalization performance）（未知のサンプルから予測する能力）を確保する。
【００５７】
図７は、サポートベクトルマシン分類器の線形分離可能な概略図を示す。
【００５８】
図７：サポートベクトルマシン分類超平面の最大マージンの１例の概略図である。中身のある（実質的な）ポイントおよび空洞のポイントは２つのタイプのサンプルポイントで表現している。実線の分類超平面は、点線の分類超平面の全てに比較して最大のマージンを有しており、結果的に最良の一般化能力を有している。
【００５９】
＜線形サポートベクトルマシン＞
2014521053.tif 000005
【００６０】
ここで、データから訓練されるべき分類器を決定する２つの変数が以下の式により具体的に得られる。
【００６１】
【数２】
2014521053.tif 000006
【００６２】
ここで、Ｃは、訓練エラー率と一般化性能を計量するためのパラメータであり、通常交差検定によって決定される。
【００６３】
事実、式１により決定された最適化問題は、以下の双対問題に変換することができる。
【００６４】
【数３】
2014521053.tif 000007
【００６５】
2014521053.tif 000008
【００６６】
＜非線形サポートベクトルマシン＞
サポートベクトルマシンはまた、非線形モデルも学習することができる。それは、サンプルを初期空間（original space）から高次元の特徴空間へカーネル法および特別な非線形マッピングを用いて描くことにより、初期空間において線形に分離できないデータを高次元の特徴空間において線形に分離することができる。従って、線形モデルが高次元の空間で設計され、それは、初期空間で設計された非線形モデルに等しい。図８は、多項式カーネル関数によって２次元サンプルを３次元空間へ伸ばすことの概略図を示し、これにより、初期的には分離できなかったサンプルが、高次元空間においては線形に分離される。
【００６７】
図８は、非線形サポートベクトルマシンのアルゴリズムの概略図を示す。初期サンプルは、線形に分離できないが、次の式（４）によって変換する。
【００６８】
【数４】
2014521053.tif 000009
【００６９】
当初方法は、カーネル法を用いて高次元空間へ伸ばされることにより、高次元空間において線形分離可能になる。このことは、初期空間において非線形に分離することに等しい。
【００７０】
2014521053.tif 000010
【００７１】
【数５】
2014521053.tif 000011
【００７２】
2014521053.tif 000012
【００７３】
【数６】
2014521053.tif 000013
【００７４】
2014521053.tif 000014
【００７５】
2014521053.tif 000015
【００７６】
非線形サポートベクトルマシンは、最も基礎的な分類器として用いることができ、ガウス分布カーネル関数が、カーネル関数として選択される。
【００７７】
上記の生化学的変数およびモデルは、適切なパラメータを得る。事実、上記の戦略によって、複数の他のパラメータのセットがまた、追加的に得られる。
【００７８】
１．変数パラメータ
2014521053.tif 000016
【００７９】
上記のモデルに用いた特性番号の医学的意味は以下である。
【００８０】
2014521053.tif 000017
【００８１】
上記の特性５および特性８は、エキスパートのアドバイスによって導入された２つの特性値である。それらは、３つの特性２、１４および１５に関連している。特性２は、上記の表で与えられ、１４と１５は以下（表４）である。
【００８２】
2014521053.tif 000018
【００８３】
2014521053.tif 000019
【００８４】
2014521053.tif 000020
【００８５】
2014521053.tif 000021
【００８６】
特性はランダムに並べられていることに留意されたい。種々のモデルが１３の異なる特性に関連しており、それらは、３つのタイプ、すなわち、年齢、血清生化学的変数およびフィブロスキャン硬度に分けられる。血清生化学的変数は、血小板、ヒアルロン酸（ＨＡ）、血清直接ビリルビン（ＤＢＩＬ）、プロトロンビン時間（ＰＴ）、血清グルタミン酸ピルビン酸トランスアミナーゼ（ＡＬＴ、ＧＰＴ）、血清グルタミン酸オキサロ酢酸トランスアミナーゼ（ＡＳＴ、ＧＯＴ）、トランスフォーミング増殖因子β１（ＴＧＦ−β１）およびα2−マクログロブリン（ＡＭＧ）を含む。それらを得るために必要なコストは異なる。
【００８７】
異なる特性を用いて異なるモデルを訓練により得ることができる。
【００８８】
１  モデル１は最小の特性を用いており、これらの全ては検出にひんぱんに用いられており一般の病院で得ることができる血清生化学的変数特性であるので、モデル１は最も簡単である。
２  モデル４は全ての特性を用いており、最高の正確さを有しているが、適用される特性はフィブロスキャン硬度、血清生化学的変数であるトランスフォーミング増殖因子β１（ＴＧＦ−β１）およびα2−マクログロブリン（ＡＭＧ）にも関連している。従ってこれらの特性を収集するためには高いコストが必要である。
３  モデル２およびモデル３は、特性を収集するためのコストとモデルの正確さとを総合的に考慮するトレードオフ戦略に合致している。
【００８９】
次の表８は、上記の４モデルのテスト結果を示す。
【００９０】
2014521053.tif 000022
【００９１】
本発明の実施形態において、分類モデルは、非侵襲的な肝線維症の病期分類を予測するために「ゴールドスタンダード」に従った血清生化学的変数およびフィブロスキャン硬度のような医学指標に基づいて設計されている。患者状態の固有ベクトルは、患者の特定の生化学的変数によって得られる。固有ベクトルに基づいて、モデルは、患者の最新の病理学的病期分類Ｓ０−Ｓ４（またはＦ０−Ｆ４）を導く。（レベルが高いほど、より重症な肝線維症である。）
【００９２】
本発明の技術的解決法は、複数のパラメータ、主に、性別、年齢、ＨＢＶ−ＤＮＡレベル、種々の肝酵素変数、関連するコレステロールおよびほとんどすべての生化学的変数、肝線維症の特別の判定指標であるフィブロスキャン硬度などを含む複数のパラメータから選択される。上記のすべてのパラメータの解析、処理および計算によって、肝線維症に最も相関関係を有するｎ個の血清生化学的変数が、臨床診断に対して究極的に決定され、肝線維症および肝硬変の診断のためのモデルがフィブロスキャン検出結果と組み合わせて得られる。
【００９３】
さまざまな病院が異なる装置を有し、異なる生化学的検査レベルであることを考慮すれば、モデルもまた、異なる病院で検出を容易にするために、２つのバージョンに分けられる。
【００９４】
１）フィブロスキャン+生化学的試験モデル：肝疾患のための特定の病院／診療所で用いられる。変数は、フィブロスキャン硬度および血小板、ヒアルロン酸（ＨＡ）、血清直接ビリルビン（ＤＢＩＬ）、プロトロンビン時間（ＰＴ）、血清グルタミン酸ピルビン酸トランスアミナーゼ（ＡＬＴ、ＧＰＴ）、血清グルタミン酸オキサロ酢酸トランスアミナーゼ（ＡＳＴ、ＧＯＴ）のような血清生化学的変数に及ぶ。
【００９５】
２）フィブロスキャン+すべての関連する生化学的変数に対する検出モデル：検出装置とより高度な科学的研究レベルを有する肝疾患のための特別な病院／診療所で、診断問題を深く解決するために用いられる。変数は、血小板、ヒアルロン酸（ＨＡ）、血清直接ビリルビン（ＤＢＩＬ）、プロトロンビン時間（ＰＴ）、血清グルタミン酸ピルビン酸トランスアミナーゼ（ＡＬＴ、ＧＰＴ）、血清グルタミン酸オキサロ酢酸トランスアミナーゼ（ＡＳＴ、ＧＯＴ）、フィブロスキャン硬度、トランスフォーミング増殖因子β１（ＴＧＦ−β１）およびα2−マクログロブリン（ＡＭＧ）のような血清生化学的変数に及ぶ。
【００９６】
本発明の実施形態である肝線維症検出システムは、非侵襲性、高い実用性、簡単な方法、低価格および良好な安全性などによって特徴づけられる。
【００９７】
（１）リスクがない。診断システムは、非侵襲的な医療装置であるフィブロスキャンおよび関連する血液生化学的結果に応じて、ほとんどいかなるリスクもなしにモデル解析によって肝疾患を有する患者の肝線維症の程度を判定することができ、患者に対して侵襲がない。
【００９８】
（２）低い総合試験コスト。肝生検は血液検査のみならず、穿刺および外傷後の取り扱いが必要であるので、非侵襲的な診断方法よりも高い総合試験コストを必要とする。
【００９９】
（３）この方法は、広い範囲の臨床的応用を有し簡単である。フィブロスキャン操作者が証明を得るのにより短い時間でよく、この方法は簡単で実行が容易である。生化学的変数の検出はもはや特別な訓練を必要とせず、病院それ自身が条件を有し、双方を組み合わせた非侵襲的モデルは、広い範囲の臨床的応用を有する。
【０１００】
本発明の記載は、説明と例解のために提供しており、網羅的でもなく、本発明を開示内容に限定することを意図してもいない。多くの改良や変形がこの分野の通常の技術者にとって容易である。実施形態の選定および記載は、本発明の原理と実際の応用のためのより良い解説を意図し、特有の目的に対して適する種々の改良を有する実施形態を設計するためにこの分野の通常の技術者が本発明を理解できるように意図している。
【図１】
2014521053.tif 000023
【図２】
2014521053.tif 000024
【図３】
2014521053.tif 000025
【図４】
2014521053.tif 000026
【図５】
2014521053.tif 000027
【図６】
2014521053.tif 000028
【図７】
2014521053.tif 000029
【図８】
2014521053.tif 000030
【国際調査報告】
2014521053.tif 000031
2014521053.tif 000032
2014521053.tif 000033